(57)【要約】【課題】  吸込口に吸込グリルを形成しないことでコストを抑制しつつ美観を損なわず、かつ、フィルタが移動経路の途中で吸込口の端縁にひっかかることなく所定位置までスムーズに移動可能な空気調和機を提供することを目的とする。【解決手段】  キャビネット３の天面に形成された吸込口４と、キャビネット３の吸込口４の内面側に配されたフィルタ７と、フィルタ７を挿脱自在に移動させる移動経路１９とを備え、吸込口４には吸込口４を全体的に覆う吸込グリルは形成されず、フィルタ７を移動経路１９に挿入する際に、フィルタ７の挿入先端３０が吸込口４の端縁にひっかからないように誘導する誘導部として傾斜形成された吸込口後端縁２５及び／又は突起部２６が設けられた構成とする。【選択図】        図３
2011058719.tif 000002
【特許請求の範囲】
【請求項１】
キャビネットの天面に形成された吸込口と、前記キャビネットの吸込口の内面側に配されたフィルタと、前記フィルタを挿脱自在に移動させる移動経路とを備え、前記吸込口には吸込口を全体的に覆う吸込グリルは形成されず、前記フィルタを前記移動経路に挿入する際に、前記フィルタの挿入先端が前記吸込口の端縁にひっかからないように誘導する誘導部が設けられたことを特徴とする空気調和機。
【請求項２】
前記移動経路は、キャビネット前後方向に形成され、前記キャビネットは、吸込口の後端縁がキャビネット左右方向に対して傾斜して形成され、前記後端縁が前記誘導部とされたことを特徴とする請求項１記載の空気調和機。
【請求項３】
前記移動経路は、前記フィルタの左右両側部を保持する左右一対の保持レールによって構成され、各保持レールは、前記フィルタ表面側に位置する外レールと、フィルタ裏面側に位置する内レールとを有し、前記吸込口の後端縁の左右隅部のうち、キャビネット前面に近い方の隅部の側に位置する保持レールの外レールに、該隅部の前方位置で内レールに向かって突出する突起部が形成され、前記後端縁に加えて前記突起部が前記誘導部とされたことを特徴とする請求項２記載の空気調和機。
【請求項４】
前記移動経路は、前記フィルタの左右両側部をキャビネット前後方向に移動可能に保持する左右一対の保持レールによって構成され、各保持レールは、前記フィルタ表面側に位置する外レールと、フィルタ裏面側に位置する内レールとを有し、前記一対の保持レールのうち少なくともいずれか一方の外レールに、前記吸込口の後端縁の前方位置で内レールに向かって突出する突起部が形成され、前記突起部が前記誘導部とされたことを特徴とする請求項１記載の空気調和機。
【発明の詳細な説明】
【技術分野】
【０００１】
本発明は、キャビネットの吸込口の内面側にフィルタを着脱可能に配した空気調和機に関するものである。
【背景技術】
【０００２】
従来、一般的な空気調和機の室内機の構造としては、キャビネットの前面上部から天面にかけて空気を吸込む吸込口が形成され、キャビネットの前面下部に吹出口が形成され、吸込口から吹出口に至る空気通路にフィルタ、熱交換器及びファンがこの順に配置されたものが知られている。吸込口には、主に美観上の理由から、格子状の吸込グリルが形成される。吸込グリルは、格子状に形成されるため、大型化するほど金型の作製等に費用がかかり、コストアップの一因となっていた。
【０００３】
一方で、特許文献１に示すように、近年、キャビネットの前面には、吸込口を形成せずにシンプルですっきりした外観の空気調和機が登場するようになってきている。このように吸込口をキャビネット天面にのみ形成する場合、空気調和機は一般的に室内の天井近くに設置されることから、通常の使用者の目線ではキャビネットの天面の後側までは視認することができない。そうすると、キャビネットの天面にのみ吸込口を形成する構成の空気調和機において、吸込グリルを形成せずに、開口のまま存置することも考えられる。
【先行技術文献】
【特許文献】
【０００４】
【特許文献１】特開２００９−６３２５７号公報
【発明の概要】
【発明が解決しようとする課題】
【０００５】
しかしながら、上記構成の空気調和機において、吸込口に吸込グリルを形成せずに開口のまま存置しようとすると、以下の問題があった。
【０００６】
すなわち、上記構成の空気調和機では、フィルタを挿脱自在に移動させる移動経路が形成されており、フィルタは移動経路を移動して吸込口と熱交換器との間に介装される。吸込口が形成されたキャビネットの天面と、熱交換器との間には、設計上の制約からわずかなスペースしか確保できないため、移動経路はキャビネットの吸込口の内面に沿って設定される。つまり、吸込口に隣接して移動経路が形成される。
【０００７】
ところで、フィルタは、通常、一体的に成形されたフィルタ網とフィルタ枠とから構成される。フィルタには柔軟性が要求されるため、フィルタが大型化するほど、成形後の残留応力によってフィルタ全体としてねじれや波うちが生じやすくなる。
【０００８】
したがって、ねじれや波うちが生じたフィルタを移動経路で移動させると、吸込口に吸込グリルを形成していない場合には、フィルタの挿入先端のうち、山なりに変形した一部が吸込口から突出することになる。そして、吸込口から突出したフィルタ部分が吸込口の後端縁にひっかかり、フィルタを所定位置にセットできなくなるという問題があった。
【０００９】
これは、従来の空気調和機では、吸込グリルが移動経路の一部を構成する役割をはたしていたために、フィルタにねじれや波うち等の変形があったとしても、その変形を抑えてフィルタが移動経路をスムーズに移動するのを補助していたところ、吸込グリルを取り外すことで新たに生じた課題である。
【００１０】
そこで、本発明においては、上記に鑑み、吸込口を全体的に覆う吸込グリルを形成しないことでコストを抑制しつつも美観を損なわず、かつ、フィルタが移動経路の途中で吸込口の端縁にひっかかることなく所定位置までスムーズに移動可能な空気調和機を提供することを目的とする。
【課題を解決するための手段】
【００１１】
上記目的を達成するため、本発明に係る空気調和機は、キャビネットの天面に形成された吸込口と、前記キャビネットの吸込口の内面側に配されたフィルタと、前記フィルタを挿脱自在に移動させる移動経路とを備え、前記吸込口には吸込口を全体的に覆う吸込グリルは形成されず、前記フィルタを前記移動経路に挿入する際に、前記フィルタの挿入先端が前記吸込口の端縁にひっかからないように誘導する誘導部が設けられたことを特徴とする。
【００１２】
上記構成によれば、吸込口を全体的に覆う吸込グリルを形成せずとも、誘導部を設けることにより、たとえフィルタに変形を生じていた場合であっても、フィルタの変形部分を移動経路に誘導することによって、スムーズにフィルタを移動経路内で移動させることが可能となる。
【００１３】
なお、吸込口の一部に吸込グリルを形成することは差し支えない。例えば、吸込口の前側は使用者から視認可能であるため、吸込口の前側のみ吸込グリルを形成することができる。すなわち、本発明では、吸込口を全体的に覆う大型の吸込グリルを形成することによるコストアップを抑えることを目的とするものであり、吸込口の一部に補助的に吸込グリルを形成することは差し支えない。
【００１４】
誘導部としては、具体的に、以下のものを挙げることができる。移動経路がキャビネット前後方向に形成される場合、フィルタをキャビネットの前方から移動経路に挿入し、キャビネットの後方に移動させる際には、フィルタの挿入先端は吸込口の後端縁にひっかかるおそれが生じる。この場合には、吸込口の後端縁をキャビネット左右方向に対して傾斜して形成し、この傾斜形成された吸込口の後端縁を誘導部とすることができる。
【００１５】
上記構成では、吸込口後端縁の左右隅部の一方が他方よりもキャビネット前面寄りに配置されることになる。従って、フィルタを移動経路に挿入してキャビネット後方に向けて移動させると、フィルタの挿入先端は、先ず、吸込口後端縁の左右隅部のうち、キャビネット前面に近い方の隅部（以下、前側隅部という）と交差し、その後、フィルタの移動とともに交差する点が他方の側に移動する。
【００１６】
したがって、フィルタの挿入先端の一部に山なりに変形した部分がある場合には、フィルタの変形部分の一端から他端にかけて順次吸込口の後端縁と一点でのみ接触する。このように、フィルタの挿入先端と吸込口後端縁とは、同時に二点以上で接触することがないため、吸込口の後端縁と点接触したフィルタ部分は、吸込口の後端縁に抑え込まれてスムーズに移動経路に誘導される。
【００１７】
さらに、上記構成において、移動経路が、フィルタの左右両側部を保持する左右一対の保持レールによって構成され、各保持レールが、フィルタ表面側に位置する外レールと、フィルタ裏面側に位置する内レールとを有し、吸込口の後端縁の左右隅部のうち、キャビネット前面に近い方の隅部の側に位置する保持レールの外レールに、該隅部の前方位置で内レールに向かって突出する突起部を形成することもできる。この場合、吸込口の後端縁に加えて突起部が誘導部となる。
【００１８】
上記構成では、フィルタの左右両側部は、保持レールに保持された状態で保持レール内を移動する。突起部が形成された側の保持レールを移動するフィルタ側部（以下、突起部側のフィルタ側部という）の先端は、突起部に接触することによって押し下げられ、外レールから離れた状態で前側隅部を通過する。これにより、フィルタは、前側隅部にひっかかることなく前側隅部を通過して吸込口の後端縁と交差する。後は、前述のごとく、吸込口の後端縁によってフィルタがスムーズに移動経路に誘導される。
【００１９】
すなわち、吸込口後端縁の左右隅部は、吸込口の後端縁と左右の側端縁とが交わる変曲点になっているため、フィルタの挿入先端に山なりの変形部分が存在する場合、他の部分よりも左右隅部での方がひっかかりやすくなる。そこで、誘導部として突起部を形成することによって、山なり変形部分ごと突起部側のフィルタ側部を押し下げ、前側隅部の下方をくぐらせて通過させることで、前側隅部におけるフィルタの引っ掛かりを回避することができる。
【００２０】
上述したように、誘導部として吸込口の後端縁を傾斜形成すると共に、突起部を形成することにより、フィルタが吸込口の後端縁にひっかかるのを確実に回避しつつ、所定位置までフィルタをスムーズに誘導することが可能となる。
【００２１】
なお、誘導部としては、突起部のみを採用することも可能である。この場合、吸込口の後端縁は従来通りキャビネット左右方向に沿って形成する。そして、移動経路が、前記フィルタの左右両側部をキャビネット前後方向に移動可能に保持する左右一対の保持レールによって構成され、各保持レールは、前記フィルタ表面側に位置する外レールと、フィルタ裏面側に位置する内レールとを有し、前記一対の保持レールのうち少なくともいずれか一方の外レールに、前記吸込口の後端縁の前方位置で内レールに向かって突出する突起部が形成され、突起部が誘導部とされた構成とすることができる。
【００２２】
上記構成においては、吸込口の後端縁をキャビネット左右方向に平行に形成したままで突起部を形成することで、フィルタの挿入先端全体が同時に吸込口の後端縁を通過することになる。なお、突起部は左右保持レールの両方の外レールに形成してもよいし、一方のみに形成することも可能である。
【発明の効果】
【００２３】
以上のとおり、本発明によると、吸込口には吸込口を全体的に覆う吸込グリルを形成せず、フィルタを移動経路に挿入する際に、フィルタの挿入先端が吸込口の端縁にひっかからないように誘導する誘導部を設けたため、コストを抑制しつつも美観を損なわず、さらにフィルタが移動経路の途中でひっかかることなく所定位置までスムーズに移動可能な空気調和機を得ることが可能となる。
【図面の簡単な説明】
【００２４】
【図１】本発明の実施形態を示す空気調和機の室内機の斜視図
【図２】図１の室内機を別の角度からみた斜視図
【図３】図２におけるＡ−Ａ断面図
【図４】上記室内機の分解斜視図
【図５】図１の室内機をさらに別の角度からみた斜視図
【図６】本発明の室内機の平面図
【図７】吸込口後端縁の別の態様を示す室内機の平面図
【図８】本実施形態で用いるフィルタの斜視図
【図９】図２におけるＡ−Ａ断面図で、フィルタを挿入する途中の状態を示す図
【図１０】図２におけるＡ−Ａ断面図で、フィルタが突起部を乗越える状態を示す図
【図１１】図２におけるＡ−Ａ断面図で、フィルタが傾斜部に接触する状態を示す図
【図１２】図４の背面板からさらにドレンパン及び横ルーバを取り外した状態を示す図
【図１３】室内機の横断面図
【図１４】室内機の背面図
【発明を実施するための形態】
【００２５】
以下、図面に基づいて本発明の実施の形態を説明する。図１は、空気調和機の室内機を下方から見た外観斜視図であり、図２は図１の室内機を上方から見た外観斜視図を、図３は図２における室内機のＡ−Ａ断面図をそれぞれ示す。
【００２６】
図１〜図３に示すように、室内機は、熱交換器１及びファン２を備え、これらがキャビネット３に内装されている。キャビネット３の天面に吸込口４が形成され、キャビネット３の前面下部に吹出口５が形成される。キャビネット３の内部には、吸込口４から吹出口５に至る空気通路６が形成され、この空気通路６に熱交換器１とファン２とが配設される。
【００２７】
吸込口４と熱交換器１との間にはフィルタ７が配され、吸込口４から吸い込んだ室内の空気から塵埃を除去する。吹出口５の前面には横ルーバ８が回動自在に取り付けられており、吹出口５から吹き出す風の向きを上下方向に変更可能とされている。横ルーバ８の上流側に、縦ルーバ１５が設けられる。縦ルーバ１５は左右方向に回動する。縦ルーバ１５により、左右方向の風向きが変えられる。
【００２８】
空気調和機では、室内機に対して図示しない室外機が室外に設置されている。室外機には、圧縮機、熱交換器、四方弁、室外ファン等が内装され、これらと室内側の熱交換器１とによって冷凍サイクルが形成される。そして、冷凍サイクルを制御する制御装置が室内機に設けられる。マイコンからなる制御装置は、ユーザの指示及び室外や外気温を検出する温度センサ等の各種のセンサの検出信号に基づいて、冷凍サイクルを制御し、冷暖房運転を行う。このとき、制御装置は、冷暖房運転に応じて、ファンモータの駆動及び横ルーバ８の開閉を制御する。
【００２９】
図４は室内機の分解斜視図である。図示のように、キャビネット３は、ベースとなる背面板９、右カバー１０、左カバー１１および前面パネル１２に分解可能とされており、キャビネット３の天面にはこれらの部材に囲まれた、左右方向に長い開口が形成される。この開口の左右方向中央にはフィルタガイド部材１３が取り付けられる。
【００３０】
これにより、上記開口は左右に２分割され、吸込口４，４が左右一対形成される。吸込口４，４ごとにフィルタ７，７が配される。なお、フィルタガイド部材１３を用いずに１つの吸込口を１枚のフィルタで覆うようにしてもよいし、複数のフィルタガイド部材１３を用いて３以上の吸込口に分割することも可能である。
【００３１】
前面パネル１２は上部に形成された図示しない回転軸を中心に開閉自在に回動するように設けられる。吸込口４には、吸込口４全体を覆う吸込グリルは形成されておらず、吸込口４は開口のままとされる。なお、吸込口４の前側部分には吸込口４を目隠しするための前グリル１４が着脱自在に取り付けられる。これにより、吸込口４の開口は、使用者からは前グリル１４に遮られて視認されず、美観を損なうことがない。
【００３２】
フィルタ７は、移動経路１９を移動可能とされる。移動経路１９は、キャビネット３の前後方向に形成されており、移動経路１９の前端にはフィルタ７が出入りする出入口２０が形成され、後端は背面板９の頂部に突き当たるように形成される。出入口２０は、前面パネル１２を開放した室内機の正面上部に形成される。移動経路１９は、出入口２０から逆Ｖ字状に形成された熱交換器１に沿って吸込口４に向かって傾斜して形成され、吸込口４に至った後は、背面板９に至るまでキャビネット３の天面の内面に沿って形成される。
【００３３】
移動経路１９は、フィルタ７の左右両側部を保持する左右一対の保持レール２１，２２によって構成される。保持レール２１は、フィルタガイド部材１３の両側部に形成されており、保持レール２２は、吸込口４に臨む右カバー１０及び左カバー１１それぞれの縁部に沿って形成されている。従って、左右の吸込口４，４では、保持レール２１，２２の位置が右左逆になる。保持レール２１及び２２は、それぞれ外レール２３と、内レール２４とを備えており、外レール２３と内レール２４の間にフィルタ７の側部が保持される。なお、フィルタガイド部材１３の表面、すなわち、外レール２３の表面は、キャビネット３の天面の一部を構成している。
【００３４】
保持レール２１および２２の外レール２３は、前後に分割された構造となっており、外レール２３の前側は前グリル１３の下面部分で構成され、後側はキャビネット３の天面によって構成される。このように、移動経路１９は、吸込口４の後側では、吸込口４に接して形成される。したがって、図８に示すように、フィルタ７の挿入先端に山なり変形部Ｘ１，Ｘ２などが存在すると、この変形部分Ｘ１，Ｘ２が吸込口後端縁２５に接触することになる。
【００３５】
そこで、本実施形態では、たとえフィルタ７の挿入先端に変形部分Ｘ１，Ｘ２等が存在したとしても、フィルタ７の挿入先端が吸込口４に引っ掛かってフィルタ７の移動が阻害されないように移動経路１９に誘導する誘導部を設けたものである。具体的には、誘導部として、キャビネット３の左右方向に対して傾斜形成された吸込口後端縁２５と、外レール２３に形成された突起部２６とを備えている。以下、吸込口後端縁２５及び突起部２６について詳述する。
【００３６】
図５及び図６に示すように、吸込口後端縁２５はキャビネット３の左右方向に対して傾斜して形成される。すなわち、吸込口後端縁２５の左右隅部の一方が、他方よりもキャビネット前面寄りに配置される。なお、本実施形態においては、左右の吸込口４，４に形成される吸込口後端縁２５の傾きの向きは、外観デザインの観点から、左右対称に形成される。
【００３７】
具体的には、左の吸込口４では、吸込口後端縁２５の左隅部が前側隅部２５ａ（吸込口後端縁の左右隅部のうちキャビネット前面に近い方の隅部）となり、右の吸込口４では、吸込口後端縁２５の右隅部が前側隅部２５ａとなる。吸込口後端縁２５の形状は、左右いずれか一方の方向に傾斜形成されていればよく、本実施形態のように、緩やかな曲線状とすることができるほか、別の態様として、例えば、図７に示すように、直線状とすることも可能である。
【００３８】
吸込口４に対してその後端縁２５を傾斜して形成すると、その分、開口面積は小さくなる。そこで、本実施形態では、もともと矩形状である吸込口４の形状と、傾斜形成された吸込口後端縁２５との間に補助グリル１６を形成し、吸込口４の開口面積を確保するようにしている。なお、補助グリル１６及び吸込口後端縁２５は、背面板９に一体成形されているが、背面板９とは別体として形成することも可能である。
【００３９】
図９〜図１１及び図３に示すように、突起部２６は、前側隅部２５ａの側に位置する保持レールの外レール２３において、前側隅部２５ａの前方位置に形成される。本実施形態においては、左右の吸込口４，４とも保持レール２２、２２に突起部２６が形成される。なお、突起部２６は、フィルタ７の側部を押し下げて外レール２３から離れた状態で前側隅部２５ａを通過させるものであることから、フィルタ７がスムーズに突起部２６を乗り越えられるように突起部にスロープを形成するのが好ましい。左右の吸込口４，４に形成される保持レール２２、２２は、形状が互いに左右対称とされている。
【００４０】
さらに、よりスムーズにフィルタ７が突起部２６を乗り越えられるようにするために、フィルタ７の側部先端にもスロープ部２７を形成するのが好ましい。本実施形態では、フィルタ７の側部先端及び突起部２６の両方にスロープを形成している（図８参照）。
【００４１】
また、突起部２６は所定の高さのものを一つ形成してもよいし、突起部２６を複数形成して段階的に所定の高さまで高くすることも可能である。本実施形態では、段階的に高さを高くした３つの突起部（２６ａ，２６ｂ及び２６ｃ）を形成している。このように、突起部２６を複数形成すれば、フィルタ７が各突起部２６に接触するたびに振動が発生するようになる。
【００４２】
これにより、図８に示すように、フィルタ側部近くに変形部Ｘ２が生じた場合に、振動により、変形部Ｘ２をできるだけフィルタ７の中央（変形部Ｘ１の位置）に移動させることができる。その結果、前側隅部２５ａで変形部Ｘ２が引っ掛かる危険性をできる限り低くした上で、フィルタ７の側部を押し下げて前側隅部２５ａを通過させることが可能となる。
【００４３】
また、突起部２６は、背面板９と、左右カバーとが接合する接合面よりも前方に形成するのが好ましい。すなわち、背面板９と、左右カバーとの接合面は、保持レール２２の継ぎ目となる。この部分では、隙間や段差が生じやすくなるため、フィルタ７の挿入先端３０がひっかかるおそれがある。そこで、突起部２６を上記接合面の前方位置に配することにより、フィルタ７は、前側隅部２５ａのみならず、上記接合面との接触をも回避することが可能となり、ひっかかりを未然に防止することができる。
【００４４】
図９〜図１１及び図３に、左の吸込口４における背面板９と、左カバー１１との接合面１７を示す。本実施形態では、３つの突起部のうち一番後方に位置する突起部２６ｃが接合面１７を跨ぐように形成されている。また、右の吸込口４における背面板９と右カバー１０との接合面１８は、前側隅部２５ａの直前位置に形成される（図６参照）。従って、突起部２６は接合面１８よりも前方位置に形成されることになり、この接合面１８でのフィルタ７のひっかかりも回避することができる。
【００４５】
図８に示すように、フィルタ７は、フィルタ網２８とフィルタ枠２９とが一体的に成形された樹脂製フィルタであり、大型になるほど、残留応力によりフィルタの挿入先端３０に山なり変形部Ｘ１や山なり変形部Ｘ２が生じやすくなる。
【００４６】
上記構成の空気調和機において、フィルタ７を移動経路１９の出入口２０から挿入して所定位置にセットするまでについて説明する。図９〜図１１は、図２における室内機のＡ−Ａ断面図である。
【００４７】
先ず、図９に示すように、前面パネル１２を開放して室内機の正面上部に現れた出入口２０からフィルタ７を移動経路１９内に挿入する。フィルタ７は、移動経路１９内を熱交換器１に沿って吸込口４に向かって移動する。
【００４８】
フィルタ７の挿入先端３０が吸込口４の内面に達した後、すなわち、外レール２３に達した後は、外レール２３に接触しながら、吸込口４に沿ってキャビネット３の後方に移動し、前側隅部２５ａの前方に形成された突起部２６に接触する。
【００４９】
突起部２６ａ，２６ｂ及び２６ｃは、その高さが段階的に高くなるように形成され、かつ各突起部２６ａ，２６ｂ及び２６ｃのフィルタ７との接触面にスロープが形成されている。また、フィルタ７の側部の先端にはスロープ部２７が形成されている。これにより、フィルタ７の側部は、各突起部２６ａ，２６ｂ及び２６ｃをスムーズに乗り越えることができ、また、各突起部２６ａ，２６ｂ及び２６ｃを乗り越える際に振動を発生する。
【００５０】
突起部２６を乗り越えたフィルタ７は、図１０に示すように、突起部２６によって押し下げられ、外レール２３から離れた状態で前側隅部２５ａの下方を通過する。なお、突起部２６は、前述のごとく、保持レール２２にのみ形成されているが、保持レール２１にも形成することもできる。
【００５１】
内レール２４には、前側隅部２５ａの後方位置に徐々に外レール２３との距離が狭くなるように傾斜部３１が形成される。さらに、移動経路１９の後端には、傾斜部３１に連続してフィルタ７の挿入先端３０が嵌合可能な溝部３２が形成されている。
【００５２】
したがって、前側隅部２５ａを通過したフィルタ７は、図１１に示すように、傾斜部３１に接触して溝部３２まで導かれる。そして、最終的には、図３に示すように、フィルタ７の挿入先端３０が溝部３２に嵌合して固定される。
【００５３】
移動経路１９は、前側は出入口２０で終了しているが、保持レール２１，２２の内レール２４は、そのまま熱交換器１の前端部１ａまで延長して緩やかに弧を描くようにして形成される。そして、移動経路１９に導入されなかったフィルタ７の後側は、内レール２４に保持される。フィルタ７の後端は、弾性変形によって湾曲させながら熱交換器１の前端部に位置するドレンパン３３に差し込むようにして固定される。以上の操作によって、フィルタ７が空気通路６において、吸込口４と熱交換器１との間に介装される。
【００５４】
前述のごとく、キャビネット３は、一体成形された大型のものを用いるのではなく、複数部材から構成された組み立て式とされている。これにより、大型の金型を必要とせず、生産性を良好に維持することができる。
【００５５】
本実施形態では、キャビネット３が組み立て式であることから、キャビネット３内に収容される熱交換器１やファン２は、図１２に示すように、背面板９の内面の左右に形成された支持部４０，４１を介して背面版９に取り付けられる。従って、背面板９の支持部４０，４１には大きな荷重がかかることになる。このように、背面板９の左右にそれぞれ大きな荷重がかかると、背面板９の剛性が弱い場合には、左右でねじれが生じる。
【００５６】
そこで、本実施形態では、図５，図１３及び図１４に示すように、背面板９の上部に、キャビネット３の左右方向に連続した凹凸形状を有する凹凸部４２を形成して背面板９全体の剛性を高めるようにしている。さらに、凹凸部４２を構成する各凹部４３にはリブを形成するのがより剛性を高めることができる点で好ましい。
【００５７】
凹凸部４２は、背面板９の内面側に形成される凹部４３ａと、背面板９の外面側に形成される凹部４３ｂとが交互に繰り返すようにして形成される。すなわち、背面板９を内面側から見たときに、凹部４３ａに隣接する凸部が、背面板９の外面側に形成される凹部４３ｂとなる。また、背面板９を外面側から見たときに、凹部４３ｂに隣接する凸部が、背面板９の内面側に形成される凹部４３ａとなる。
【００５８】
リブの形態については、縦方向に延びる縦リブ４４、横方向に延びる横リブ４５又は格子状のリブ４６を適宜形成することができる。格子状リブ４６については、リブを縦横方向に形成すると、背面板の縦横方向の剛性を高めることができ、リブを斜めに傾斜するように形成すると背面板の左右のねじれを効率よく防止できる。
【００５９】
各凹部４３に形成するリブの種類については特に制限はないが、縦リブ４４、横リブ４５及び格子状リブ４６をバランスよく形成するのが好ましい。本実施形態では、図５及び図１３に示すように、背面板９の内面側に形成される凹部４３ａにはすべて格子状リブ４６を形成している。なお、格子状リブ４６のうち、フィルタガイド部材１３が取り付けられる中央の凹部４３ａにはリブを縦横方向に形成し、その他の凹部４３ａはすべてリブを斜めに傾斜するように形成している。
【００６０】
また、図１３及び図１４に示すように、背面板９の外面側に形成される凹部４３ｂには縦リブ４４と横リブ４５とを織り交ぜて形成している。これらのリブをバランスよく形成することにより、背面板全体の剛性を高めることができる。
【符号の説明】
【００６１】
１    熱交換器
２    ファン
３    キャビネット
４    吸込口
５    吹出口
６    空気通路
７    フィルタ
８    横ルーバ
９    背面板
１０    右カバー
１１    左カバー
１２    前面パネル
１３    フィルタガイド部材
１４    前グリル
１５    縦ルーバ
１６    補助グリル
１７    背面板と左カバーとの接合面
１８    背面板と右カバーとの接合面
１９    移動経路
２０    出入口
２１    保持レール
２２    保持レール
２３    外レール
２４    内レール
２５    吸込口後端縁
２５ａ  前側隅部
２６    突起部
２７    スロープ部
２８    フィルタ網
２９    フィルタ枠
３０    挿入先端
３１    傾斜部
３２    溝部
３３    ドレンパン
４０    支持部
４１    支持部
４２    凹凸部
４３    凹部
４４    縦リブ
４５    横リブ
４６    格子状リブ
【図１】
2011058719.tif 000003
【図２】
2011058719.tif 000004
【図３】
2011058719.tif 000005
【図４】
2011058719.tif 000006
【図５】
2011058719.tif 000007
【図６】
2011058719.tif 000008
【図７】
2011058719.tif 000009
【図８】
2011058719.tif 000010
【図９】
2011058719.tif 000011
【図１０】
2011058719.tif 000012
【図１１】
2011058719.tif 000013
【図１２】
2011058719.tif 000014
【図１３】
2011058719.tif 000015
【図１４】
2011058719.tif 000016
【手続補正書】
【提出日】平成22年11月5日(2010.11.5)
【手続補正１】
【補正対象書類名】特許請求の範囲
【補正対象項目名】全文
【補正方法】変更
【補正の内容】
【特許請求の範囲】
【請求項１】
キャビネットの天面に開口として形成された１つ又は２つ以上の吸込口と、前記キャビネットの吸込口の内面側に、前記吸込口ごとに配されたフィルタと、前記フィルタを挿脱自在に移動させる移動経路とを備え、前記移動経路は、キャビネット前後方向に形成され、前記吸込口には吸込口を全体的に覆う吸込グリルは形成されず、前記フィルタを前記移動経路に挿入する際に、前記フィルタの挿入先端が前記吸込口の後端縁にひっかからないように誘導する誘導部が設けられ、前記誘導部は、キャビネット左右方向に対して、左右いずれか一方の方向に傾斜して形成された前記吸込口の後端縁であることを特徴とする空気調和機。
【請求項２】
前記吸込口の後端縁の後側に補助グリルが形成されたことを特徴とする請求項１記載の空気調和機。
【請求項３】
前記移動経路は、前記フィルタの左右両側部を保持する左右一対の保持レールによって構成され、各保持レールは、前記フィルタ表面側に位置する外レールと、フィルタ裏面側に位置する内レールとを有し、前記吸込口の後端縁の左右隅部のうち、キャビネット前面に近い方の隅部の側に位置する保持レールの外レールに、該隅部の前方位置で内レールに向かって突出する突起部が形成され、前記後端縁に加えて前記突起部が前記誘導部とされたことを特徴とする請求項１又は２記載の空気調和機。
【請求項４】
前記突起部は、前記フィルタとの接触面にスロープが形成されたことを特徴とする請求項３記載の空気調和機。
【手続補正２】
【補正対象書類名】明細書
【補正対象項目名】００１４
【補正方法】変更
【補正の内容】
【００１４】
誘導部としては、具体的に、以下のように構成される。移動経路がキャビネット前後方向に形成され、フィルタをキャビネットの前方から移動経路に挿入すると、キャビネットの後方に移動させる際には、フィルタの挿入先端は吸込口の後端縁にひっかかるおそれが生じる。したがって、吸込口の後端縁をキャビネット左右方向に対して傾斜して形成し、この傾斜形成された吸込口の後端縁を誘導部とする。
【手続補正３】
【補正対象書類名】明細書
【補正対象項目名】００１８
【補正方法】変更
【補正の内容】
【００１８】
上記構成では、フィルタの左右両側部は、保持レールに保持された状態で保持レール内を移動する。突起部が形成された側の保持レールを移動するフィルタ側部（以下、突起部側のフィルタ側部という）の先端は、突起部に接触することによって押し下げられ、外レールから離れた状態で前側隅部を通過する。
【手続補正４】
【補正対象書類名】明細書
【補正対象項目名】００１９
【補正方法】変更
【補正の内容】
【００１９】
これにより、フィルタは、前側隅部にひっかかることなく前側隅部を通過して吸込口の後端縁と交差する。後は、前述のごとく、吸込口の後端縁によってフィルタがスムーズに移動経路に誘導される。
【手続補正５】
【補正対象書類名】明細書
【補正対象項目名】００２０
【補正方法】変更
【補正の内容】
【００２０】
すなわち、吸込口後端縁の左右隅部は、吸込口の後端縁と左右の側端縁とが交わる変曲点になっているため、フィルタの挿入先端に山なりの変形部分が存在する場合、他の部分よりも左右隅部での方がひっかかりやすくなる。
【手続補正６】
【補正対象書類名】明細書
【補正対象項目名】００２１
【補正方法】変更
【補正の内容】
【００２１】
そこで、誘導部として突起部を形成することによって、山なり変形部分ごと突起部側のフィルタ側部を押し下げ、前側隅部の下方をくぐらせて通過させることで、前側隅部におけるフィルタの引っ掛かりを回避することができる。
【手続補正７】
【補正対象書類名】明細書
【補正対象項目名】００２２
【補正方法】変更
【補正の内容】
【００２２】
上述したように、誘導部として吸込口の後端縁を傾斜形成すると共に、突起部を形成することにより、フィルタが吸込口の後端縁にひっかかるのを確実に回避しつつ、所定位置までフィルタをスムーズに誘導することが可能となる。